(57)【要約】【解決手段】上部フレーム１と、底部２と、上部フレームにその上端部が枢支されたはね上げ側壁３と、上下に分割された分割側壁４’、４”とからなる折り畳みコンテナーにおいて、はね上げ側壁がヒンジ連結されている、上部フレームの相対する短辺部１’の略中央部には、その先端部６ａ１が、上部フレームの外側垂直部１ｃの外面１ｃ１付近まで延在する天板６ａを有する持ち手用凹部６を形成したものである。【効果】指が当てられる天板の中央領域の幅が、従来の天板に比べて長いので、天板から指が外れたり、指が痛くなるようなことを防止することができる。【選択図】図４
2006188271.tif 000002
【特許請求の範囲】
【請求項１】
上部フレームと、底部と、上部フレームにその上端部が枢支されたはね上げ側壁と、上下に分割された分割側壁とからなる折り畳みコンテナーにおいて、前記はね上げ側壁がヒンジ連結されている、前記上部フレームの相対する短辺部の略中央部に、その先端部が、前記上部フレームの外側垂直部の外面付近まで延在する天板を有する持ち手用凹部が形成されていることを特徴とする折り畳みコンテナー。
【請求項２】
前記持ち手用凹部を構成する天板の両端部に、指が挿入可能な切り欠き部が形成されていることを特徴とする請求項１に記載の折り畳みコンテナー。
【発明の詳細な説明】
【技術分野】
【０００１】
本発明は、種々の物品の保管、輸送或いは搬送等に使用される折り畳みコンテナーに関するものである。
【背景技術】
【０００２】
従来、額縁状の上部フレームと、底部と、上部フレームにその上端部がヒンジ連結された、折り畳みコンテナーの内側方向に回動可能な側壁（以下、この側壁を、はね上げ側壁という。）と、上下に分割されているとともに、適当なヒンジ部を介して連結された上部分割側壁と下部分割側壁とから構成されており、且つ、上部分割側壁の上端部が、上部フレームにヒンジ連結され、また、下部分割側壁の下端部が、底部にヒンジ連結された折り畳みコンテナーが知られている。
【０００３】
箱型に組み立てられた上述した折り畳みコンテナーは、略垂直状態のはね上げ側壁を、折り畳みコンテナーの内部方向に回動させて略水平状態にし、次いで、略面一状態に略垂直状態の上部分割側壁と下部分割側壁とを、ヒンジ部分を介して重ねることにより、箱型に組み立てられた折り畳みコンテナーを、高さの低いコンパクトな状態に折り畳むことができるように構成されている。また、折り畳まれた状態の折り畳みコンテナーの上部フレームを持ち上げることにより、重なるように折り畳まれている上部分割側壁と下部分割側壁とを、略垂直状態に拡げ、次いで、はね上げ側壁を、略垂直に立てることにより、箱型に組み立てることができるように構成されている。
【０００４】
上述した折り畳みコンテナーの上部フレームは、水平部と、水平部の相対する縁部から下方に延在する内側垂直部と外側垂直部とから構成されており、長手方向に垂直な断面形状が、略逆Ｕ字状に形成されており、また、上部フレームの相対する短辺部には、上部フレームを構成する水平部の一部としての天板と底板と奥板と相対する側板とで囲まれた持ち手用凹部が形成されている。
【０００５】
上述した従来の折り畳みコンテナーに形成された持ち手用凹部を構成する天板には、切り欠き部が形成されており、蓋で被蓋された状態の箱型に組み立てられた折り畳みコンテナーの蓋を開ける際には、持ち手用凹部に手を入れて、切り欠き部に位置している蓋を持ち上げることにより、蓋を開けるように構成されている。このような持ち手用凹部が形成されている折り畳みコンテナーが、特許文献１に開示されている。
【０００６】
【特許文献１】特開２００３−９５２６２号公報
【発明の開示】
【発明が解決しようとする課題】
【０００７】
上述した従来の折り畳みコンテナーに形成された持ち手用凹部を構成する天板には、切り欠き部が形成されているために、天板の幅が短いので、指の引っ掛かり部分が少なくなり、従って、天板の下に指を入れて、箱型に組み立てられた折り畳みコンテナーを持ち運ぶ際に、天板から指が外れたり、指が痛くなる等の問題があった。
【０００８】
本発明の目的は、上述した従来の折り畳みコンテナーが有する課題を解決することにある。
【課題を解決するための手段】
【０００９】
本発明は、上述した目的を達成するために、上部フレームと、底部と、上部フレームにその上端部が枢支されたはね上げ側壁と、上下に分割された分割側壁とからなる折り畳みコンテナーにおいて、第１には、はね上げ側壁がヒンジ連結されている、上部フレームの相対する短辺部の略中央部には、その先端部が、上部フレームの外側垂直部の外面付近まで延在する天板を有する持ち手用凹部を形成したものであり、第２には、持ち手用凹部を構成する天板の両端部に、指が挿入可能な切り欠き部を形成したものである。
【発明の効果】
【００１０】
本発明は、以上説明したように構成されているので、以下に記載されるような効果を奏する。
【００１１】
はね上げ側壁がヒンジ連結されている、上部フレームの相対する短辺部の略中央部には、その先端部が、上部フレームの外側垂直部の外面付近まで延在する天板を有する持ち手用凹部を形成したので、指が当てられる天板の中央領域の幅が、上述した従来の天板に比べて長いので、天板から指が外れたり、指が痛くなるようなことを防止することができる。
【００１２】
また、はね上げ側壁がヒンジ連結されている、上部フレームの相対する短辺部の略中央部には、その先端部が、上部フレームの外側垂直部の外面付近まで延在する天板を有する持ち手用凹部を形成したので、折り畳みコンテナーの組み立て作業の際に、指が、天板から外れるようなことがなく、従って、折り畳みコンテナーの組み立て作業の作業性が向上する。
【００１３】
持ち手用凹部を構成する天板の両端部に、指が挿入可能な切り欠き部を形成したので、箱型に組み立てられた折り畳みコンテナーに被蓋されている蓋部材を開ける際に、持ち手用凹部に指を入れるとともに、天板の切り欠き部に指を入れて、切り欠き部内に位置する蓋部材に指を当て、その後、蓋部材を、上方に持ち上げることにより、容易に、且つ、迅速に、蓋部材を開けることができる。
【発明を実施するための最良の形態】
【００１４】
以下に、本発明の実施例について説明するが、本発明の趣旨を越えない限り何ら、本実施例に限定されるものではない。
【００１５】
折り畳みコンテナーは、額縁状の上部フレーム１と、底部２とを有しており、上部フレーム１の相対する短辺部１’には、適当なヒンジ部材を介して、折り畳みコンテナーの内側方向に回動可能なはね上げ側壁３の上端部が連結されている。また、上部分割側壁４’の下端部と下部分割側壁４”の上端部とは、適当なヒンジ部材を介して連結されており、上部分割側壁４’の上端部は、適当なヒンジ部材を介して、上部フレーム１の相対する長辺部１”に連結されており、更に、下部分割側壁４”の下端部は、適当なヒンジ部材を介して、底部２の長辺部２ａに連結されている。
【００１６】
５は、蓋部材であり、蓋部材５は、一対の半蓋体５ａから形成されており、半蓋体５ａの一方の長辺部５ａは、適当なヒンジ部材を介して、上部フレーム１の相対する長辺部１”に連結されている。半蓋体５ａの長さ（上部フレーム１の長辺部１”に沿った長さ）Ｌ１は、上部フレーム１の長辺部１”に沿った長さと略同じ長さＬ２に形成されており、上部フレーム１を、一対の半蓋体５ａで被蓋した際には、半蓋体５ａの短辺部５ｂが、上部フレーム１の短辺部１’に載置されるように構成されている。
【００１７】
上部フレーム１は、水平部１ａと、水平部１ａの相対する縁部から下方に延在する内側垂直部１ｂと外側垂直部１ｃとから形成されており、長手方向に垂直な断面形状が、略逆Ｕ字状に形成されている。
【００１８】
上述したはね上げ側壁３がヒンジ連結されている、上部フレーム１の相対する短辺部１’の略中央部には、持ち手用凹部６が形成されており、持ち手用凹部６は、上部フレーム１の水平部１ａの一部として形成されている天板６ａと、底板６ｂと、上部フレーム１の内側垂直部１ｂの一部として形成されている奥板６ｃと、天板６ａや奥板６ｃに対して略垂直な相対する側板６ｄとにより形成されている。底板６ｂは、上部フレーム１の外側垂直部１ｃの中程から奥板６ｃに向かって、上方に湾曲した、略円筒体の略四半円分として形成されている。底板６ｂは、略円筒体の略四半円分として形成された、はね上げ側壁３の上端部３ａと同じような形状に形成されている。
【００１９】
持ち手用凹部６を形成する天板６ａは、その先端部６ａ１が、上部フレーム１の外側垂直部１ｃの外面１ｃ１付近まで延在しているとともに、天板６ａの両端部には、切り欠き部６ａ２が形成されている。切り欠き部６ａ２は、少なくとも、指１本が挿入可能なような大きさに形成されている。
【００２０】
図１に示されているように、箱型に組み立てられた折り畳みコンテナーを、持ち運ぶ際には、持ち手用凹部６に指を入れるとともに、指を、天板６ａの切り欠き部６ａ２が形成されていない中央領域の裏面に当てて、折り畳みコンテナーを持ち上げることになるが、本発明においては、天板６ａの中央領域には、切り欠き部６ａ２が形成されておらず、しかも、その先端部６ａ１が、上部フレーム１の外側垂直部１ｃの外面１ｃ１付近まで延在しているので、指が当てられる天板６ａの中央領域の幅（上部フレーム１の短辺部１’に対して垂直方向の長さ）Ｄ１は、上述した従来の天板に比べて長いので、天板６ａから指が外れたり、指が痛くなるようなことを防止することができる。
【００２１】
また、図３に示されているように、折り畳まれた状態の折り畳みコンテナーを、図１に示されているように、箱型に組み立てる際には、持ち手用凹部６に指を入れるとともに、指を、天板６ａの切り欠き部６ａ２が形成されていない中央領域の裏面に当てて、上部フレーム１を持ち上げることになるが、上述したように、指が当てられる天板６ａの中央領域の幅Ｄ１は、上述した従来の天板に比べて長いので、折り畳みコンテナーの組み立て作業の際に、指が、天板６ａから外れるようなことがなく、従って、折り畳みコンテナーの組み立て作業の作業性が向上する。
【００２２】
更に、箱型に組み立てられた折り畳みコンテナーに被蓋されている半蓋体５ａを開ける際には、持ち手用凹部６に指を入れるとともに、天板６ａの切り欠き部６ａ２に指を入れて、切り欠き部６ａ２内に位置する半蓋体５ａに指を当て、その後、半蓋体５ａを、上方に持ち上げることにより、半蓋体５ａを開けることができる。
【００２３】
なお、７は、上部フレーム１を構成する短辺部１’の水平部１ａの両端部付近に形成された一対の嵌合凸部であり、この嵌合凸部７は、上部フレーム１を、半蓋体５ａで被蓋した際に、半蓋体５ａに穿設された透孔５ａ１に嵌合されるように構成されている。
【図面の簡単な説明】
【００２４】
【図１】図１は、本発明の折り畳みコンテナーが箱型に組み立てられ、且つ、蓋部材で被蓋された状態の斜視図である。
【図２】図２は、本発明の折り畳みコンテナーが箱型に組み立てられ、且つ、蓋部材が外された状態の斜視図である。
【図３】図３は、本発明の折り畳みコンテナーが折り畳まれた状態の斜視図である。
【図４】図４は、本発明の折り畳みコンテナーを構成する上部フレームの持ち手用凹部付近の部分拡大斜視図である。
【図５】図５は、図４に示されている持ち手用凹部が形成された上部フレーム等の一部断面を含む部分拡大斜視図である。
【符号の説明】
【００２５】
１・・・・・・・・上部フレーム
２・・・・・・・・底部
３・・・・・・・・はね上げ側壁
４’・・・・・・・上部分割側壁
４”・・・・・・・下部分割側壁
５・・・・・・・・蓋部材
５ａ・・・・・・・半蓋体
６・・・・・・・・持ち手用凹部
【図１】
2006188271.tif 000003
【図２】
2006188271.tif 000004
【図３】
2006188271.tif 000005
【図４】
2006188271.tif 000006
【図５】
2006188271.tif 000007